(57)【特許請求の範囲】
【請求項１】
予め記憶させておいた少なくとも１つのフォーカスレンズ位置をスイッチ操作により再現させるテレビカメラ用レンズコントロール装置において、
フォーカス操作部材の操作に応じてフォーカスレンズの位置を指令するフォーカス操作手段と、
スイッチ操作後の前記フォーカスレンズの位置を示すフォーカス位置と前記フォーカス操作手段によるフォーカス指令位置とを比較し、前記フォーカス位置に対する前記フォーカス指令位置の差を検出する比較手段と、
前記比較手段による比較の結果、前記フォーカス位置と前記フォーカス指令位置とが相違する場合には、前記フォーカス操作手段によるフォーカス制御を無効にし、前記フォーカス操作手段を操作して、前記比較手段による比較の結果、前記フォーカス位置と前記フォーカス指令位置とが一致する場合に前記フォーカス操作手段によるフォーカス制御を有効にする制御切換手段と、
を備えたことを特徴とするテレビカメラ用レンズコントロール装置。
【請求項２】
前記比較手段の検出結果に基づいて、前記フォーカス位置に対する前記フォーカス指令位置の差の方向に関する表示を行う表示手段を備えたことを特徴とする請求項１記載のテレビカメラ用レンズコントロール装置。
【請求項３】
前記表示手段は、前記フォーカス位置と前記フォーカス指令位置とを合致させる為に前記フォーカス操作部材を操作すべき方向を示すように構成されていることを特徴とする請求項２記載のテレビカメラ用レンズコントロール装置。
【発明の詳細な説明】
【０００１】
【発明の属する技術分野】
本発明はテレビカメラ用レンズコントロール装置に係り、特に放送用テレビカメラに使用されるフォーカスノブ付きのショットボックス等のテレビカメラ用レンズコントロール装置に関する。
【０００２】
【従来の技術】
放送用テレビカメラには、ショットボックスと呼ばれるレンズコントロール装置が取り付けられることがある。ショットボックスは、特定のカット（ショット）毎に、予めズーム及びフォーカスのポジション等を記憶させておき、スイッチ操作で瞬時に再現する装置である。このショットボックスにフォーカスノブが設けられ、該フォーカスノブをマニュアルモードの下で操作することによりマニュアル操作でフォーカス調整できるものも知られている。
【０００３】
かかるフォーカスノブ付きのショットボックスは、ショットの解除ボタンを押してマニュアルモードに切り換えるものや、フォーカスノブを動かすと直ちにマニュアルモードに切り換わるものがある。
【０００４】
【発明が解決しようとする課題】
しかしながら、従来のショットボックスでは、スイッチ操作によるショット動作を実行した後のレンズのフォーカス位置とショットボックスのフォーカスノブが示す位置（フォーカス指令位置）とは異なるので、この状態でマニュアルモードに切り換えるとフォーカスが急激に動き出し、映像が不自然に変化するという問題がある。
【０００５】
かかる問題に対して、ショットボックスのフォーカスノブの位置検出手段を従来のポテンショメータに代えてロータリーエンコーダとし、これをマイコン制御することが考えられる。即ち、ショット実行後にショットボックスのフォーカスノブが操作された場合には、ショット後のレンズのフォーカス位置を基準としてフォーカスノブの操作量に応じてレンズのフォーカスを動かすことにより、フォーカスのスムーズな動き出しを実現することも可能である。
【０００６】
しかしながら、このようなマイコン制御では、ショットボックスのフォーカスノブはエンドレス構造にしなければならないので、フォーカスノブの無限（∞）のエンド端や、最至近（ＭＯＤ）のエンド端というものがなく、カメラマンの操作上、無限遠や無限遠付近、ＭＯＤやＭＯＤ付近のピント合わせが困難となるという問題が生じる。また、ケースリングの目盛を利用したピント合わせをすることも出来ないという問題がある。
【０００７】
本発明はこのような事情に鑑みてなされたもので、ショット実行後のレンズのフォーカス位置とレンズコントロール装置に設けられたフォーカスノブによるフォーカス指令位置とがズレていることを表示して操作者に注意を促すとともに、ショットからマニュアルへの移行時にレンズの動き出しがスムーズになり、また、操作者にとっても無限（∞）のエンド端や最至近（ＭＯＤ）のエンド端の把握も容易で違和感のないテレビカメラ用レンズコントロール装置を提供することを目的とする。
【０００８】
【課題を解決するための手段】
前記目的を達成するために、請求項１に記載のテレビカメラ用レンズコントロール装置は、予め記憶させておいた少なくとも１つのフォーカスレンズ位置をスイッチ操作により再現させるテレビカメラ用レンズコントロール装置において、フォーカス操作部材の操作に応じてフォーカスレンズの位置を指令するフォーカス操作手段と、スイッチ操作後の前記フォーカスレンズの位置を示すフォーカス位置と前記フォーカス操作手段によるフォーカス指令位置とを比較し、前記フォーカス位置に対する前記フォーカス指令位置の差を検出する比較手段と、前記比較手段による比較の結果、前記フォーカス位置と前記フォーカス指令位置とが相違する場合には、前記フォーカス操作手段によるフォーカス制御を無効にし、前記フォーカス操作手段を操作して、前記比較手段による比較の結果、前記フォーカス位置と前記フォーカス指令位置とが一致する場合に前記フォーカス操作手段によるフォーカス制御を有効にする制御切換手段と、を備えたことを特徴としている。
本発明によれば、ショット動作からマニュアル操作への切換がスムーズになり、フォーカスの変化も滑らかになるという利点がある。更にフォーカス操作部材をエンドレス構造にする必要がなく、無限のエンド端や至近のエンド端が定められるので無限付近や最至近付近でのピント合わせが容易で、操作上の違和感もないという利点がある。
請求項２に記載のテレビカメラ用レンズコントロール装置は、請求項１に記載の発明において、前記比較手段の検出結果に基づいて、前記フォーカス位置に対する前記フォーカス指令位置の差の方向に関する表示を行う表示手段を備えたことを特徴としている。
本発明によれば、フォーカス操作手段を操作する操作者に注意を促すことができる。
請求項３に記載のテレビカメラ用レンズコントロール装置は、請求項２に記載の発明において、前記表示手段は、前記フォーカス位置と前記フォーカス指令位置とを合致させる為に前記フォーカス操作部材を操作すべき方向を示すように構成されていることを特徴としている。
本発明によれば、ショット動作後、レンズのフォーカス位置とフォーカス操作手段の指令位置のズレを容易に判断することができる。
【００１１】
【発明の実施の形態】
以下添付図面に従って本発明に係るテレビカメラ用レンズコントロール装置の好ましい実施の形態について詳説する。
図１には、本発明に係るテレビカメラ用レンズコントロール装置を放送用テレビカメラのショットボックスに適用した例が示されている。雲台２に支持されたテレビカメラ４には、フルサーボ操作式のレンズ装置６が接続されている。
【００１２】
雲台２には２本の操作ロッド２Ａ、２Ｂが設けられており、カメラマンの右手側の操作ロッド２Ａのグリップ付近には、ショットボックス１０が固定つまみ１２を介して取り付けられている。ショットボックス１０は、特定のカット（ショット）毎に予めズーム及びフォーカスのポジションを記憶させておき、スイッチ操作で瞬時に再現するものである。
【００１３】
このショットボックス１０には、フォーカスをマニュアル操作するフォーカスノブ１４が設けられている。フォーカスノブ１４の回転操作量に応じてレンズ装置６内のフォーカスレンズ群の移動位置を指令する位置制御信号が出力され、この位置制御信号に基づいて前記フォーカスレンズ群が駆動される。レンズ装置６内には、フォーカスレンズ群の位置を検出するポテンショメータが設けられており、このポテンショメータによってフォーカス位置を把握できるようになっている。
【００１４】
他方、操作ロッド２Ｂのグリップ付近には、ズームスピードを操作するズームレートデマンド１６が取り付けられている。ズームレートデマンド１６は、ズームリング１６Ａの回動方向と回動量に応じて広角側又は望遠側にズーム動作させる速度制御信号を出力する。この速度制御信号に基づいてレンズ装置６の鏡胴内の変倍レンズ群がスピード制御されて駆動される。
【００１５】
カメラマンは、ビューファインダー１８に映る撮影像を見ながら右手でフォーカスノブ１４を操作することによってピント調整を行うとともに、左手でズームレートデマンド１６のズームリング１６Ａを操作することでズーム調整を行うことができる。
また、図１には詳しくは図示されていないが、このレンズ装置６には、エクステンダーレンズを保持したドラムが回動自在に組付けられている。このエクステンダードラムは、マウントフレーム側部に設けられたエクステンダー切換ツマミの操作、或いはショットボックス１０に設けられたスイッチの操作に応じて動作するモータ（エクステンダー用モータ）によって回動駆動され、光軸内に進入し又は光軸から退避するようになっている。
【００１６】
更に、レンズ装置６鏡胴内には図示しないアイリス機構が設けられ、アイリス用モータの駆動力によって絞り値を変更できるようになっている。
次に、ショットボックスの構成について説明する。
図２は、ショットボックス１０の外観の一例を示す正面図であり、図３は右側面図である。図２に示されているように、ショットボックス１０には、第１番から第６番までの６カット分の設定及び再現を指令するショットボタン（ショットスイッチ）２２Ａ、２２Ｂ、…、２２Ｆと、各ショットボタン毎にズーム、フォーカスのポジションを設定するためのポジション設定ノブ２３Ａ、２３Ｂ、…、２３Ｆが設けられている。各ポジション設定ノブ２３Ａ、２３Ｂ、…、２３Ｆは２連式になっており、内側のノブ２４Ａ、２４Ｂ、…、２４Ｆでズーム位置を設定し、外側のノブ２５Ａ、２５Ｂ、…、２５Ｆでフォーカス位置を設定できるようになっている。
【００１７】
図２中符号２６はスピード調節ノブであり、内側のノブ２６Ａでズームスピードを調節し、外側のノブ２６Ｂでフォーカススピードを調節できる。また、符号２８はマルチファンックションスイッチであり、このスイッチの機能は、図３に示すモード選択スイッチ３０の位置に応じて変更されるようになっている。
モード選択スイッチ３０は、Ｆ＆Ｚモード、Ｚ＆Ｚ（×２）モード、Ｚ＆Ｚモードの３段階に切り換えが可能であり、選択されたモードの種類がモードインジケータ３２に表示されるようになっている。
【００１８】
ショットボックス１０の側面には、回転式のフォーカスノブ１４が設けられている。フォーカスノブ１４には図示しないポテンショメータが設けられており、該フォーカスノブ１４の回転量に応じた位置指令信号が出力される。フォーカスノブ１４は無限遠のエンド端から最至近のエンド端まで２回転で到達するようになっており、フォーカスノブ１４の回動位置を把握するための目安となるスケールリング３４が設けられている（図２参照）。
【００１９】
また、フォーカスノブ１４の基端部には、レンズ装置６の実際のフォーカス位置と前記フォーカスノブ１４の指令位置との差を示す表示部３６が設けられている。この表示部３６は、実際のフォーカス位置と前記フォーカスノブ１４の位置とがズレている場合に両者を合致させる為にフォーカスノブ１４を動かすべき方向を示すもので、動かすべき方向を表す三角形の方向指示マーク３８、３８を発光ダイオード（ＬＥＤ）等の発光手段により点灯させるようになっている。
【００２０】
尚、図３に示したようにフォーカスノブ１４の中央にはトルク調節ネジ４０が設けられ、フォーカスノブ１４の回転トルクを調節できるようになっている。また、同図中、符号４２はフォーカスリバーススイッチ、符号４４はズームレートデマンド１６との接続用コネクタ、符号４６はレンズ装置６との接続用コネクタである。
【００２１】
図４には、ショットボックス１０の要部構成を示す電気回路図が示されている。レンズ装置６のフォーカス位置を検出するフォーカスポテンショメータ５２の出力は２つに分岐され、一方は第１コンパレータ５４のマイナス入力端子に、他方は第２コンパレータ５６のプラス入力端子に導かれる。また、ショットボックス１０のフォーカスノブ１４のポテンショメータ５８の出力も２つに分岐され、一方は第１コンパレータ５４のプラス入力端子に、他方は第２コンパレータ５６のマイナス入力端子に導かれる。
【００２２】
前記第１のコンパレータ５４は、プラス入力がマイナス入力以上の場合にハイレベル（Ｈ）の信号を出力し、プラス入力がマイナス入力未満の場合にロウレベル（Ｌ）の信号を出力するようになっている。第１コンパレータ５４の出力端子には発光ダイオード（ＬＥＤ）６０の負極端子が接続され、第１コンパレータ５４の出力がロウレベルの場合に該ＬＥＤ６０が点灯し、第１コンパレータ５４の出力がハイレベルの場合に該ＬＥＤ６０が消灯するようになっている。
【００２３】
同様に、前記第２のコンパレータ５６は、プラス入力がマイナス入力以上の場合にハイレベル（Ｈ）の信号を出力し、プラス入力がマイナス入力未満の場合にロウレベル（Ｌ）の信号を出力するようになっている。第２コンパレータ５６の出力端子には発光ダイオード（ＬＥＤ）６２の負極端子が接続され、第２コンパレータ５６の出力がロウレベルの場合にＬＥＤ６２が点灯し、第２コンパレータ５６の出力がハイレベルの場合にＬＥＤ６２が消灯するようになっている。尚、前記ＬＥＤ６０、６２は、それぞれ、図２に示した表示部３６の方向指示マーク３８、３８の部分に配設されるものである。
【００２４】
また、第１、第２コンパレータ５４、５６の出力は、ＡＮＤゲート６４の入力ピンにそれぞれ導かれる。ＡＮＤゲート６４の出力がロウレベルの間は、切換スイッチ６６の接片６６Ａがショット信号ラインの接点６７に当接され、ショットスイッチ２２に基づくショット信号がレンズコントロール信号として外部（レンズ装置６側）へ出力される。この間、フォーカスノブ１４を操作しても、レンズ装置６のフォーカスは動きださない。
【００２５】
ＡＮＤゲート６４の出力がハイレベルの場合、即ち、レンズ装置６のフォーカスポテンショメータ５２の出力とショットボックス１０のフォーカスノブ１４のポテンショメータ５８の出力とが一致すると、切換スイッチ６６の接点が切り換えられ、接片６６Ａがマニュアル信号ラインの接点６８に当接する。これにより、フォーカスノブ１４の操作に基づくマニュアル信号がレンズコントロール信号としてレンズ装置６側へ出力される。
【００２６】
上記の如く構成されたショットボックスの作用について説明する。
先ず、図２に示した１番から６番までのショットスイッチ２２Ａ、２２Ｂ、…毎にそれぞれ対応するポジション設定ノブ２３Ａ、２３Ｂ、…を操作し、カット毎のフォーカス、ズームポジションを記憶させる。尚、必ずしも全てのショットスイッチを使用しなくてよい。
【００２７】
例えば、撮影中ショットスイッチ２２Ａを操作すると、記憶させておいたフォーカス、ズームポジションが再現される。フォーカス位置はポテンショメータ５２によって常時検出されているが、このショット動作を実行した場合、ショットボックス１０のフォーカスノブ１４による指令は無効とされるので、実際のフォーカス位置と、フォーカスノブ１４のポテンショメータ５８が示す位置との間に差異が生じる。
【００２８】
例えば、実際のフォーカス位置に対してショットボックス１０のフォーカスノブ１４の位置が無限側にズレている場合には、図４に示したレンズ装置６のフォーカスポテンショメータ５２の出力よりも、フォーカスノブ１４のポテンショメータ５８の出力が大きくなる。この場合、第１コンパレータ５４の出力はハイ、第２コンパレータ５６の出力はロウとなり、ＬＥＤ６０は消灯し、ＬＥＤ６２が点灯する。この点灯したＬＥＤ６２により表示された三角形の方向指示マーク３８の示す方向が実際のフォーカス位置とフォーカスノブの位置とを合致させる為にフォーカスノブ１４を動かすべき方向である。この場合には、フォーカスを至近側に動かす方向が表示される。
【００２９】
その後、この表示に従ってフォーカスノブ１４を方向指示マーク３８の示す方向に操作すると、自動的にマニュアルフォーカス操作モードに移行するが、実際のフォーカス位置とフォーカスノブ１４の位置とが異なっている間はフォーカスノブ１４を操作してもフォーカスレンズ群は動きださない（ピント状態は変化しない）。
【００３０】
実際のフォーカス位置とフォーカスノブ１４の位置が一致すると、第１、第２コンパレータ５４、５６の出力は共にハイレベルとなり、ＬＥＤ６０、６２がともに消灯する。表示部３６の両方のＬＥＤ６０、６２が消灯することでカメラマンは実際のフォーカス位置とフォーカスノブ１４の位置が一致したことを認識できる。
【００３１】
このとき、ＡＮＤゲート６４の出力がハイレベルとなり、切換スイッチ６６の接片６６Ａがマニュアル信号ライン側に切り換わる。以後、フォーカスノブ１４の操作によるマニュアルフォーカス指令が有効となり、フォーカスノブ１４の操作に応じてフォーカス調整が可能となる。
ショット実行後、実際のフォーカス位置に対してショットボックス１０のフォーカスノブ１４の位置が至近側にズレている場合は、点灯するＬＥＤが異なる点を除いて上述と同様であるので説明は省略する。
【００３２】
このように、ショット実行後、レンズ装置６の実際のフォーカス位置とショットボックス１０のフォーカスノブ１４の指令位置とが異なっている場合に、その異なっている方向、つまり、至近側にズレているのか、無限側にズレているのかを示す表示部３６を設けたので操作者に注意を促すことができる。
また、レンズ装置６の実際のフォーカス位置とフォーカスノブ１４の指令位置とが異なっている場合にはフォーカスノブ１４による指令を無効とし、前記表示部３６の表示に従ってフォーカスノブ１４を操作して両者が一致した場合に、フォーカスノブ１４による指令を有効にするようにしたので、ショット動作からマニュアル操作への切り換え時のフォーカスレンズ群の動きだしがスムーズになるという利点がある。
【００３３】
また、フォーカスノブ１４をエンドレス構造にする必要がなく、無限遠のエンド端とＭＯＤのエンド端とが決められているので、操作上は無限遠及び無限遠付近やＭＯＤおよびＭＯＤ付近のピント合わせが容易で、操作者が違和感なく使用することができるという利点がある。
また、上記表示部の表示については、上述した以外にも様々な形態が考えられる。例えば、レンズ装置６の実際のフォーカス位置とショットボックス１０のフォーカスノブ１４の指令位置とが近づいてきた場合には、点灯していたＬＥＤ６０又は６２を点滅させて操作者に注意を促すようにしてもよい。
【００３４】
【発明の効果】
以上説明したように本発明に係るテレビカメラ用レンズコントロール装置によれば、予め記憶させておいたフォーカスレンズ位置をスイッチ操作によって再現した際、レンズ装置の実際のフォーカス位置とフォーカ操作手段の指令位置とが異なっている場合に、その異なっている方向を示す表示を行うようにしたので、スイッチ操作後フォーカス操作手段によるフォーカス制御に切り替える際に、操作者に注意を促すことができる。特に、実際のフォーカス位置とフォーカス操作手段の指令位置とを合致させる為にフォーカス操作部材を操作すべき方向を表示することにより、フォーカス位置とフォーカス操作手段の指令位置のズレを容易に判断することができるという利点がある。
【００３５】
また、実際のフォーカス位置とフォーカス操作手段の指令位置とが異なっている場合にはフォーカス操作手段による指令を無効とし、両者が一致した場合に、フォーカス操作手段による指令を有効にするようにしたので、ショット動作からマニュアル操作への移行時にレンズの動き出しがスムーズになるという利点がある。
【００３６】
更に、フォーカス操作部材をエンドレス構造にする必要がないので、操作者にとっても無限遠（∞）のエンド端や最至近（ＭＯＤ）のエンド端の把握が容易で、無限付近及び最至近付近のピント合わせが容易であるという利点がある。
【図面の簡単な説明】
【図１】図１は、本発明に係るテレビカメラ用レンズコントロール装置を放送用テレビカメラのショットボックスに適用した例を示す斜視図である。
【図２】図２は、ショットボックスの外観の一例を示す正面図である。
【図３】図３は、ショットボックスの右側面図である。
【図４】図４は、ショットボックスの要部構成を示す電気回路図である。
【符号の説明】
４…テレビカメラ
６…レンズ装置
１０…ショットボックス
１４…フォーカスノブ
２２Ａ、２２Ｂ、２２Ｆ…ショットスイッチ
２３Ａ、２３Ｂ、２３Ｆ…ポジション設定ノブ
３６…表示部
３８…方向指示マーク
５２…レンズ装置のフォーカスポテンショメータ
５４…第１コンパレータ
５６…第２コンパレータ
５８…フォーカスノブのポテンショメータ
６０、６２…発光ダイオード（ＬＥＤ）
６４…ＡＮＤゲート
６６…切換スイッチ
【図１】
0003760458.tif 000002
【図２】
0003760458.tif 000003
【図３】
0003760458.tif 000004
【図４】
0003760458.tif 000005